(57)【要約】      （修正有）【課題】高層建物でベランダ外壁作業を行う際、ベランダ内で組付ける足場の組付を安全でしかも容易に行える、工事用足場の組付構造を提供する。【解決手段】足場は、ベランダ床面に設置するベース部とベランダ天井壁を押圧可能な押圧部とベース部と押圧部とを連結する胴体部と、を備えた単体ユニットと、３基の単体ユニットからそれぞれ突出する足場台用ステー上に架け渡す足場台と、を備えて構成する。ベース部と胴体部、押圧部と胴体部、胴体部を２分割する下部胴体部１１１と上部胴体部１１２等のそれぞれ２部材を、ロックピン３０で連結する。ロックピン３０は、頭部３１と軸部３２とを有して形成する。頭部３内には、磁石部３３を接着剤にて接着して固着する。ロックピン３０で２部材を挿通した後で、２部材のうちいずれかの部材に磁石部３３で吸着させて固着する。【選択図】図４
2010189970.tif 000002
【特許請求の範囲】
【請求項１】
高層住宅のベランダに設置する工事用足場の組付構造であって、
前記ベランダは、ベランダ床面とベランダ天井壁とベランダ側壁とからなり、
前記工事用足場は、前記ベランダ床面に当接するベース部と、前記ベース部から立ち上がる胴体部と、前記胴体部の上方に配設されて前記ベランダ天井壁に押圧可能な押圧部と、前記胴体部から前記ベランダ側壁の外方に突出して配設される足場台用ステーと、前記足場台用ステーに載設される足場台と、を備えて構成され、
前記工事用足場を構成する各部位において、第１の部材と第２の部材とが、前記第１の部材と前記第２の部材のそれぞれに形成された挿通孔にロックピンを挿入することにより連結され、
前記ロックピンが、前記第１の部材あるいは前記第２の部材に吸着可能な磁石部を有して形成され、
前記ロックピンが前記第１の部材と前記第２の部材に挿通されると、前記ロックピンの前記磁石部が、前記第１の部材と前記第２の部材のいずれかに吸着されることを特徴とする工事用足場の組付構造。
【請求項２】
前記胴体部が、角筒状に形成された１本の上部胴体部と１本の下部胴体部とに分割して構成され、前記上部胴体部と前記下部胴体部とが、前記ロックピンで連結されていることを特徴とする請求項１記載の工事用足場の組付構造。
【請求項３】
前記ロックピンは、頭部と軸部とを備えて構成され、前記磁石部が前記軸部を挿通するとともに、前記磁石部の一方の面が前記頭部に接着されていることを特徴とする請求項１又は２記載の工事用足場の組付構造。
【請求項４】
前記ロックピンの頭部には、連結される前記第１の部材または前記第２の部材の付近で一端を止着するリング部材を掛止する掛止部が形成されていることを特徴とする請求項３記載の工事用足場の組付構造。
【発明の詳細な説明】
【技術分野】
【０００１】
本発明は、高層建物又は超高層建物等におけるベランダに設置してベランダ外壁の清掃工事や改修工事を行うための工事用足場の組付構造に関する。
【背景技術】
【０００２】
地上２０階以上を越える高層建物や超高層建物でのベランダ外壁の清掃工事や改修工事等の外壁工事を行う場合、高層で発生するビル風が、建物に当たって舞い上がったり、吹き抜けたりすることによって、地上では考え難い風の影響を受けやすい。このため、従来から行われていたベランダ外壁工事、例えば、屋上からゴンドラを吊り下げて行う作業は、危険が大きいことから実施できにくい状況にあった。近年、超高層住宅が立ち並ぶ中、ベランダ外壁工事の際にゴンドラの落下する事故が発生している。また、地上から積み上げて構成するピケ足場の場合、高層建物の場合では、足場作りが大掛かりな作業となって工事の長期化又は莫大な工事費用がかかり、現実には無理が生じていた。
【０００３】
このことから、従来においては、特許文献１に知られるように、ベランダで組み付けることができる足場が提供されていた。これによると、足場は、ベランダの床面と天井壁とを突っ張るように支持する支柱を設けて足場本体を構成し、足場本体からベランダ外側に、張り出し枠体を突出させて作業枠体としていた。これによって、足場本体を簡略化することができるとともに、工期も短くすることができ、工事費用も廉価にすることができることとなっていた。
【先行技術文献】
【特許文献】
【０００４】
【特許文献１】特開平１１−２２３０１２公報
【発明の概要】
【発明が解決しようとする課題】
【０００５】
しかし、高層建物が２０階を越えて５０階以上に至る、いわゆるタワー型超高層マンション群では、冒頭に述べた、ビル風の影響を大いに受けることとなり、少しでも危険な作業を想定できるような構成にすることはできない。つまり１００％近い安全な足場を構成する必要がある。このため、特許文献１に示すように、ベランダ内で組付可能な工事用足場を構成する必要があった。
【０００６】
しかし、超高層建物の上層階においては、ベランダ床面の幅が下層階より狭くなっているものがあり、この場合、特許文献１に示すような、４本の支柱を使用して胴体部とする構成する工事用足場では、幅の狭いベランダ内では組み付けることができなかった。
【０００７】
また、高層建物のベランダ内に設置する足場は、ベランダ内で組付するため、足場を構成する各支柱間の締結においても注意を払わなければならない。つまり、通常、各支柱間の締結は、ボルトとナット等のねじ締結によって行われることが多かった。ねじ締結は、手間のかかる作業となるとともに、ボルトやナット等が小物部品のため、ねじ締結するまでの間に作業手違いにより紛失することがある。また、このボルトやナット等は締結する前の状態では、小物の単独の部材として、例えば、工具箱内に収納されていることから、１本のボルトや１個のナットを工具箱から取り出す際に見失うこともある。この見失ったボルトやナットを高層住宅の上層階から落下させることになれば、小物であってもその慣性力が大きくなって、事故を起こしやすい。
【０００８】
このため、ボルトやナット等の締結部材をなくして手間のかかるねじ締結を削除して、締結部材を落下させないように落下防止を行うことが望まれていた。
【０００９】
また、特許文献１の足場では、確かに簡略された構成の足場が開示されているものの、締結部材の落下を防止する記載はない。
【課題を解決するための手段】
【００１０】
本発明は、上述の課題を解決するものであり、超高層建物の上層階で安全な組付構成ができ、この際、組付途中に、ビル風が発生してもベランダ床面とベランダ天井壁との間に堅固に配置されて安全な作業で行える工事用足場の組付構造を提供することを目的とする。そのため、本発明に係る工事用足場の組付構造は、以下のように構成するものである。すなわち、
請求項１記載の発明は、高層住宅のベランダに設置する工事用足場の組付構造であって、前記ベランダは、ベランダ床面とベランダ天井壁とベランダ側壁とからなり、前記工事用足場は、前記ベランダ床面に当接するベース部と、前記ベース部から立ち上がる胴体部と、前記胴体部の上方に配設されて前記ベランダ天井壁に押圧可能な押圧部と、前記胴体部から前記ベランダ側壁の外方に突出して配設される足場台用ステーと、前記足場台用ステーに載設される足場台と、を備えて構成され、前記工事用足場を構成する各部位において、第１の部材と第２の部材とが、前記第１の部材と前記第２の部材のそれぞれに形成された挿通孔にロックピンを挿入することにより連結され、前記ロックピンが、前記第１の部材あるいは前記第２の部材に吸着可能な磁石部を有して形成され、前記ロックピンが前記第１の部材と前記第２の部材に挿通されると、前記ロックピンの前記磁石部が、前記第１の部材と前記第２の部材のいずれかに吸着されることを特徴とするものである。
【００１１】
請求項２記載の発明は、請求項１の発明に係るものであって、前記胴体部が、角筒状に形成された１本の上部胴体部と１本の下部胴体部とに分割して構成され、前記上部胴体部と前記下部胴体部とが、前記ロックピンで連結されていることを特徴としている。
【００１２】
請求項３記載の発明は、請求項１又は２の発明に係るものであって、前記ロックピンは、頭部と軸部とを備えて構成され、前記磁石部が前記軸部を挿通するとともに、前記磁石部の一方の面が前記頭部に接着されていることを特徴としている。
【００１３】
請求項４記載の発明は、請求項３の発明に係るものであって、前記ロックピンの頭部には、連結される前記第１の部材または前記第２の部材の付近で一端を止着するリング部材を掛止する掛止部が形成されていることを特徴としている。
【発明の効果】
【００１４】
本発明の請求項１の構成によれば、工事用足場は、高層階においてベランダ内で組付して、ベランダの床面とベランダ天井壁との間を突っ張るようにして装着している。ベランダ内で工事用足場を構成する第１の部材と第２の部材どうしを組付固定する際、ロックピンで連結する。このロックピンには、磁石部が含まれているから、ロックピンを第１の部材と第２の部材の各挿通孔を挿通することによって、ロックピンが第１の部材あるいは第２の部材とのいずれかに吸着されて第１の部材と第２の部材とを連結する。従って、このロックピンを使用することにより簡単に２部材を連結できることから、手間をかけることなく容易に組付作業を行うことができる。また、ロックピンが第１の部材あるいは第２の部材に吸着できるから、超高層建物で作業を行っても小物部品を落下させることもなく安全な作業を行うことができる。
【００１５】
請求項２の構成によれば、特に超高層建物の高層階における狭いベランダ幅でも組付けることができるように、角筒状に形成された上部胴体部と下部胴体部を連結した１本の胴体部で構成している。そして上部胴体部と下部胴体部とを上述のロックピンで連結している。例えば、角筒状の上部胴体部を角筒状の下部胴体部に挿入して、それぞれに形成された挿通孔にロックピンを挿入することにより、２部材は連結される。ロックピンには、磁石部が形成されているから、２部材にロックピンを挿通すると、ロックピンは磁石部によって、第１の部材あるいは第２の部材のいずれかに吸着して固着される。ロックピンには、ねじ部が形成されていないから、例えば、ワッシャーを間にしてナットで締め付ける締め付け作業を削除でき簡単な作業を行うことができる。
【００１６】
請求項３の構成によれば、２部材の締結に使用するロックピンは、頭部と軸部とを備えて形成されている。頭部の一端には、軸部を挿通して頭部の一方の面に接触する磁石部が配設されている。磁石部は、頭部の一方の面に接着されているから、頭部と軸部と磁石部とを一体的に構成することができる。従って、このロックピンを２部材に挿通させるだけで、磁石部が、２部材のうち一方の部材に吸着することから、ねじ部を形成しなくても２部材を締結することができる。
【００１７】
また、請求項４の構成によれば、ロックピンは、頭部に掛止部を備えているから、２部材を締結したロックピンの掛止部に、リング部材の一端を掛止し、リング部材の他端を２部材のうちいずれかの一方の連結部付近に止着することによって、ロックピンの紛失防止を図ることができる。
【図面の簡単な説明】
【００１８】
【図１】本発明に適用する工事用足場を示す全体斜視図である。
【図２】同正面図である。
【図３】図１の工事用足場の胴体部を示す正面図である。
【図４】本発明で使用するロックピンを示す正面図である。
【図５】図３における胴体部に連結する押圧部を示す正面図である。
【図６】図５における押圧部の詳細を示す正面図である。
【図７】図６における第１の押圧部を示す側面断面図である。
【図８】図３における胴体部に連結する足場台用ステーを示す詳細図である。
【図９】図８における手摺の折り畳み状態を示す詳細図である。
【図１０】単体ユニットの各胴体部を連結する補助ステーを示す斜視図である。
【発明を実施するための形態】
【００１９】
次に、本発明の工事用足場に係る実施形態を図面に基づいて説明する。本発明の工事用足場は、ビル風が吹き付ける超高層住宅に設置する足場として好適に使用でき、特にベランダ幅が狭いものに適用できるものである。もちろん超高層住宅でなくても、幅の狭いベランダが設置されている高層住宅にも適用することができる。なお、以下の説明では、工事用足場をベランダ床面の長手方向に沿ってみる方向を工事用足場の正面視とし、正面視と直交する方向を側面視とする。
【００２０】
図１は実施形態の工事用足場(以下、単に足場という)Ｍを示す全体簡略斜視図であり、図２はその正面図である。ベランダ３は、ベランダ床面４とベランダ天井壁５及びベランダ側壁６からなるものとする。足場Ｍは、胴体部１１、ベース部１２、押圧部１３、足場台用ステー１５からなる単体ユニット１０と、３基の単体ユニット１０の足場台用ステー１５に足場台１６を架け渡すことによって構成されている。
【００２１】
各単体ユニット１０は、ベランダ３のベランダ床面４とベランダ天井壁５を突っ張るように配置されている。従って、作業者は３基の単体ユニット１０に架け渡された足場台１６に載って、ベランダ側壁６の外側でベランダ天井壁５やベランダ側壁６の外壁工事を行うように構成されている。また、この足場Ｍは、超高層住宅で作業を行うために、例えば、ビル風にあおられても、傾くことなくまた落下することのないように、ベランダ３に強固に支持されて安全な作業を行えるように構成されている。
【００２２】
図１〜２に示すように、実施形態の足場Ｍは、ベランダ床面４とベランダ天井壁５とを突っ張るように構成されている。足場Ｍは、前述のように、胴体部１１と、胴体部１１を間にしてベランダ床面４に当接するベース部１２と、ベランダ天井壁５に当接する押圧部１３とを備えている。胴体部１１の上部にはベランダ側壁６から外方に突出する足場台用ステー１５の一端が配置され、３基の単体ユニット１０の足場台用ステー１５の先端側には、足場台１６が各足場台用ステー１５上を架け渡すように配置されている。
【００２３】
胴体部１１は、図３に示すように、下部胴体部１１１と上部胴体部１１２とを備え、上部胴体部１１２は、角パイプで形成されるとともに上部胴体部１１２の側面には、長さ方向に沿って挿通孔１１２ａが複数個形成されている。角パイプで形成された上部胴体部１１２は、下部胴体部１１１に挿入可能な大きさに形成されて着脱可能に配置されている。下部胴体部１１１は、上部胴体部１１２より大径の角パイプで形成され、下部胴体部１１１の上端にはジョイント部１１１ａが配置され、下部胴体部１１１の側部に、長さ方向に沿って挿通孔１１１ｂが複数個形成されている。上部胴体部１１２が下部胴体部１１１内に挿入されると上部胴体部１１２のいずれかの挿通孔１１２ａが、下部胴体部１１１のいずれかの挿通孔１１１ｂと相互に対向され、対向する位置において、ロックピン３０を挿通することによって、上部胴体部１１２と下部胴体部１１１とが所定の高さ位置で連結されることになる。
【００２４】
ロックピン３０で連結する構成は、本発明の主要となるものであって、ロックピン３０は、図４に示すように、金属材で形成された円柱状の頭部３１と円柱状の軸部３２と、軸部３２を挿通して頭部３１に形成された凹部３１ａに挿入する円環状の磁石部３３と、を備えている。磁石部３３は頭部３１に接着剤により接着されて、一体化されたロックピン３０として形成されている。磁石部３３は、フェライト磁石で形成され、表面磁束密度が９０ｍＴで、吸着力が０．４５ｋｇで形成されたものが使用されている。また、頭部３１には孔部３１ｂが形成されて、リング状のワイヤ３４の一端が掛止されている。リング状のワイヤ３４は、ステンレス製であり、ロックピン３０の孔部（掛止部）３１ｂに一端を掛止し、他端を、２部材の連結する部位付近に止着している。連結部付近とは、一端がロックピン３０に掛止されたワイヤ３４の他端が届く範囲内に設定されるものである。また、ワイヤ３４の他端を止着する形態は、特に限定するものではなく、２部材のうち、一方の部材に装着されたねじに巻き付けるものでもよく、また、一方の部材に形成した孔に挿通して固着するものであってもよい。ワイヤ３４を装着することによって、たとえ、ロックピン３０が連結部位から抜けても、ロックピン３０が紛失することを防止している。
【００２５】
このロックピン３０を胴体部１１における下部胴体部１１１のいずれかの挿通孔１１１ｂと上部胴体部１１２のいずれかの挿通孔１１２ａとに挿通すると、ロックピン３０の磁石部３３が外側の下部胴体部１１１に吸着して、ロックピン３０が固着される。固着されたロックピン３０には、上部胴体部１１２の上部で、押圧部１３がベランダ天井壁５を押圧することによって、ロックピン３０に上部胴体部１１２からの反力が加わることから、下部胴体部１１１と上部胴体部１１２を連結したロックピン３０を容易に抜き取ることができない。
【００２６】
ベース部１２は、図２、図３に示すように、ベースプレート１２１とベースプレート１２１から上方に立ち上がる胴体部収納パイプ１２２と、ベースプレート１２１の４隅でベースプレート１２１に螺合するアジャスタ１２３と、ベランダ床面４上を走行可能なキャスタ１２４と、を備えて構成されている。胴体部収納パイプ１２２は、角パイプで形成されて下部胴体部１１１を外嵌可能に形成されている。胴体部収納パイプ１２２とベースプレート１２１とは、ベースプレート１２１に補強リブで溶着された受けパイプ部材１２５を介して固着されている。そして、胴体部収納パイプ１２２とベースプレート１２１とは溶着されている。
【００２７】
アジャスタ１２３は、足場Ｍが設置されて作業を行うときには、ベランダ床面４を突っ張るように当接され、足場Ｍが移動するときには、キャスタ１２４の下面より上昇してベランダ床面４から離隔する。
【００２８】
押圧部１３は、図５〜７に示すように、押圧部ベース１７と、第１の押圧部１８と第２の押圧部１９とを備えている。押圧部ベース１７の直上には、第１の押圧部１８が配置され、第１の押圧部１８よりベランダ室内側に向かって第２の押圧部１９が突出して配置されている。第２の押圧部１９は、押圧部ベース１７に摺動可能に内嵌する角筒状のアーム２０の先端に装着されている。
【００２９】
押圧部ベース１７は、胴体部１１の上部胴体部１１２の上端に外嵌する角パイプで形成する挿入部１７１と、挿入部１７１に直交して配置されアーム２０を水平方向に内嵌する角パイプで形成するアーム収納筒部１７２と、を備えている。挿入部１７１には、側部に挿通孔１７１ａが形成され、上部胴体部１１２に形成されたいずれかの挿通孔１２１ａとともにロックピン３０で挿通される。また、アーム収納筒部１７２上に、主ジャッキ２１が取付けられる。
【００３０】
この状態を、図７の断面図で詳細に示す。つまり、アーム収納筒部１７２は、アーム２０を摺動可能に収納する角筒部１７２ａと、上方を開口してコ字状に形成するとともに上方の開口部に主ジャッキ２１を取付けるジャッキ取付け部１７２ｂとを有して形成されている。角筒部１７２ａとアーム２０とは、角筒部１７２ａに形成された挿通孔１７２ｃとアーム２０に形成された挿通孔２０１とにロックピン３０を挿通することにより連結され、主ジャッキ２１とジャッキ取付け部１７２ｂとは、主ジャッキ２１に形成された凹部２１１とジャッキ取付け部１７２ｂに形成された挿通孔１７２ｄに、２個のロックピン３０を挿通することにより連結されている。
【００３１】
第１の押圧部１８は、図５に示すように、押圧部ベース１７の長手方向の略中間位置で昇降する第１の昇降手段としての主ジャッキ２１と、主ジャッキ２１の上面で、コ字状支持体２２に挿入された第１の押圧部材としての主押圧部材２３とを備えている。コ字状支持体２２は、上方を開口して主ジャッキ２１に装着されて、開口した部分に主押圧部材２３を装着している。
【００３２】
実施形態の主ジャッキ２１は、自動車付属部品等で使用されるパンダジャッキを採用している。もちろん、これに限定することなくシリンダを構成する油圧ジャッキあるいはそれ以外のねじ式によるジャッキであってもよい。
【００３３】
コ字状支持体２２及び主押圧部材２３は、ベランダ室内側からベランダ室外側に向かう方向に長く形成されている。つまり、単体ユニット１０が、外方に傾く方向に曲げモーメントがかかった場合に、その曲げモーメントを受けやすくして、単体ユニット１０の傾倒を防止できるようにしている。また、主押圧部材２３は、直方体であってベランダ天井壁５に対して面接触可能に形成され、ベランダ天井壁５に係止して押圧可能に配置されている。
【００３４】
第２の押圧部１９は、アーム２０の先端部に固着された雌ねじ本体部２５と、雌ねじ本体部２５に対して出入可能な雄ねじ部材２６を有している。雄ねじ部材２６にはハンドル部材２８が配置され、先端に第２の押圧部材としての副押圧部材２７が装着されている。副押圧部材２７は、矩形板状に形成されてベランダ天井壁５に面接触可能に形成され、ハンドル部材２８を回転操作することにより、ベランダ天井壁５に係止して押圧される。
【００３５】
足場台用ステー１５は、上部胴体部１１２の上部位置からベランダ側壁６の外方に向かって延設して配置されている。足場台用ステー１５の元部には、上部胴体部１１２に外嵌する角パイプで形成された装着部１５１が形成され、装着部１５１に形成された複数の挿通孔１５１ａと上部胴体部１１２に形成された挿通孔１１２ａにロックピン３０を挿通することによって、足場台用ステー１５と上部胴体部１１２とが連結されている。
【００３６】
図８に示すように、３基の単体ユニット１０に配置された足場台用ステー１５の先端には、足場台１６が架け渡されている。足場台１６は、各足場台用ステー１５の先端に配置されたＬ字状の支持部材１５２に支持されている。なお、足場台１６には、図１に示すように、作業者が足場台１６上に載るための開閉ドア３６が、一箇所に設けられている。
【００３７】
また、図８〜９に示すように、足場台用ステー１５の先端には、手摺３７が、折り畳み可能に配置されている。手摺３７は、足場台１６上に伏せた第１の位置から、足場台用ステー１５に直交して立設された第２の位置にレバー３８により移動されると、手摺３７の元部と足場台用ステー１５とにロックピン３０が挿通されて手摺３７が立設状態で維持される。
【００３８】
上述のように、単体ユニット１０を少なくとも３基備えて、各単体ユニット１０における足場台用ステー１５に足場台１６を架け渡すように横架することによって足場Ｍが構成される。この単体ユニット１０の足場台１６は、ベランダ側壁６の外壁工事を行う作業者が作業できる広さに形成されているものであれば、１枚の床板パネルを足場台用ステー１５上に載置してもよく、また複数の床板パネルを並設したものであってもよい。
【００３９】
また、図２に示すように、足場Ｍにおける両端に配置された単体ユニット１０の足場台用ステー１５の側面には、足場台用ステー１５と上部胴体部１１２とに支持された支持ベース板（支持板）４１が配置されている。支持ベース板４１は、枠状に形成され、内部に中空部を有する外枠部４１１と、中空部を室内側と室外側に２分割する仕切り縦枠４１２と、仕切り縦枠４１２の室外側の中空部を上下に２分割する仕切り横枠４１３とを有して形成されている。
【００４０】
外枠部４１１における仕切り縦枠４１２の前方部に形成された底枠部は、階段の踏み台４２を支持する踏み台支持部４１４として形成され、仕切り横枠４１３は、階段踏み台４３を支持する踏み台支持部４１３として形成されている。
【００４１】
階段踏み台４２、４３には、例えば、図示しない脚立やステップ階段等を利用して上ることができ、階段踏み台４２、４３から足場台１６に上ることができる。
【００４２】
なお、図１又は図２に示すように、単体ユニット１０を補強するために、胴体部１１における下部胴体部１１１と押圧部１３におけるアーム２０の先端部とを連結するように補強アーム４５が配置されている。補強アーム４５の一端は、下部胴体部１１１に外嵌する角パイプで形成された下部連結部４６として形成され、下部連結部４６に形成された挿通孔４６１と下部胴体部１１１のいずれかの挿通孔１１１ｂにロックピン３０を挿通することによって連結されている。また補強アーム４５の上端は、アーム２０に外嵌する角パイプで形成された上部連結部４７として形成され、上部連結部４７に形成された挿通孔４７１とアーム２０おけるいずれかの挿通孔２０１にロックピン３０を挿通することによって連結されている。補強アーム４５は、アーム２０が移動可能に配置されているため、伸縮可能に構成されている。
【００４３】
なお、図１０に示すように、足場Ｍを移動する際に、各単体ユニット１０を補助ステー５０でつなげて同時に移動させることができる。つまり、補助ステー５０は、各単体ユニット１０の上部胴体部１１２に、角パイプ状の上部胴体部１１２の挿通孔１１２ａを囲むように、一方が開放されたコ字状の装着部５１と、各装着部５１を連結する連結ステー部５２とを備えて一体的に形成されている。装着部５１には挿通孔５１１が形成され、挿通孔５１１と上部胴体部１１２の挿通孔１１２ａとにロックピン３０を挿通することによって３基の胴体部１１が連結される。
【００４４】
次に、上述のように構成された足場Ｍの設置手順や外壁工事の作業について説明する。
【００４５】
まず、作業を行う階層に、分割された複数の単体ユニット１０のそれぞれの部位をエレベータによって運搬する。分割された部位は、胴体部１１、ベース部１２、押圧部１３、足場台用ステー１５、足場台１６等が主であり、それに各部位を組み付ける道具や、ロックピン３０、及び作業を行うための清掃道具等となる。これ等は、全てエレベータに収納できる大きさに形成されている。
【００４６】
上記の部位をベランダ３内に持ち運んだ後、足場Ｍの単体ユニット１０を組み立てる。まず、ベースプレート１２１に４個のアジャスタ１２３を取り付けてベランダ床面４に接地する。この際、ベース部１２をできるだけ室内側に配置して組み付けを行う。これによって、その後の組み付けをベランダ側壁６内でできるようにすることができて安全に作業できることになる。
【００４７】
その後、下部胴体部１１１を組み付けてベース部１２上に取り付ける。そして、上部胴体部１１２を下部胴体部１１１内に挿入する。ベース部１２と下部胴体部１１１、下部胴体部１１１と上部胴体部１１２、上部胴体部１１２と足場台用ステー１５及び上部胴体部１１２と押圧部ベース１７の挿入部１７１と、嵌合した後で各挿通孔にそれぞれロックピン３０を挿通して連結する。
【００４８】
この際、押圧部ベース１７にはあらかじめアーム２０を挿通しておくとともに、第１の押圧部１８、第２の押圧部１９を装着しておく。アーム２０はベランダ部屋側との間に隙間を有して位置調整可能にしておくとともに、第１の押圧部１８及び第２の押圧部１９は、ベランダ天井壁５との間に僅かな隙間を有するように、胴体部１１の高さ調整をしておく。ロックピン３０は、各連結部位に一端、挿通しておいても、ベランダ天井壁５を押圧しないうちは、容易に取外すことができることから、最終位置に位置調整した後で再取り付けが可能である。
【００４９】
また、３基の単体ユニット１０を組みつけた後に、足場台１６を架け渡して足場Ｍを構成する。この際、手摺３７を折り畳んだ状態、つまり、足場台１６上に伏せた状態にしておく。
【００５０】
次に、３基の単体ユニット１０で構成された足場Ｍを、ベランダ側壁６側に向かって移動させた後、胴体部１１の高さ調整を行うとともに、アーム２０の位置調整を行う。そして、主押圧部材２３を主ジャッキ２１の操作でベランダ天井壁５に軽く係止させるとともに、副押圧部材２７を上昇させてベランダ天井壁５に軽く係止させて胴体部１１をベランダ３内に仮位置固定させる。
【００５１】
この位置においては、足場台用ステー１５の先端は、ベランダ側壁６内に収納されているため、手摺３７を立設させてロックピン３０で固定する。その後、主押圧部材２３と副押圧部材２７をベランダ天井壁５に強く押圧する。
【００５２】
足場Ｍの組付が完了すると、次にベランダ清掃作業を行う。清掃作業を行うにあたって、水洗浄やバイオ洗浄を行うために、清掃作業を行う場所に図示しない防水シートを掛けて水や塗料等の地上への落下防止を図ることが望ましい。
【００５３】
次に、清掃作業を行う。作業者は、脚立やステップ階段等から階段の踏み台４２、４３に移動して、開閉ドア３６を開けて足場台１６に上って所定の作業を行う。
【００５４】
足場台１６は、ベランダ側壁６の外方に位置しているから、作業者が足場台１６に載ることによって、足場Ｍは、外側に向かう曲げモーメントがかかる。しかし、主押圧部材２３が、ベランダ室内側から室外側に向かって長くなるような面接触でベランダ天井壁５を押し付けているとともに副押圧部材２７でもベランダ天井壁５を押し付けていることから、ベランダ床面４とベランダ天井壁５とを突っ張るようにして足場Ｍを強固に支持している。そのため、足場Ｍがベランダ側壁６側に傾く虞はほとんどない。
【００５５】
実施形態の足場Ｍを使用しての作業内容は、主に、ベランダ側壁６の水洗浄あるいはバイオ洗浄作業を行うものであって、足場台１６の長手方向に沿ってベランダ側壁６の清掃作業を順に行う。足場台１６が３基の単体ユニット１０分の長さを有しているから、作業者は複数の単体ユニット１０に架け渡された足場台１６の移動範囲内で清掃作業を行う。
【００５６】
ベランダ３の長さが長いものであれば、各単体ユニット１０に補助ステー５０を連結して、足場Ｍを次の場所に移動して、前述と同様に清掃作業を行う。
【００５７】
所定の場所での作業を終了すると、作業者は足場台１６からベランダ３に降りて足場Ｍを分解する。この場合、第１の押圧部１８の主押圧部材２３と第２の押圧部１９の副押圧部材２７を緩めてベランダ天井壁５との間にわずかな隙間を作り、アーム２０をベランダ室外側に移動させる。そして、足場Ｍをベランダ室内側に向けて、足場台１６がベランダ側壁６内に入るまで移動する。主押圧部材２３及び副押圧部材２７をベランダ天井壁５に仮固定した状態で、足場台１６及び足場台用ステー１５を取外す。そして順に、押圧部１３、胴体部１１、ベース部１２を分解して、エレベータで次の場所まで搬送する。
【００５８】
上述のように、実施形態の足場Ｍでは、胴体部１１、ベース部１２、押圧部１３、足場台用ステー１５を備えて単体ユニット１０が構成され、３基の単体ユニット１０で足場Ｍを構成しているから、単体ユニット１０に足場台１６を架け渡すことによって、足場Ｍを移動することができないベランダ３であっても、足場台１６の長さの範囲内でベランダ側壁６の清掃工事や改修工事を行うことができる。したがって、１台の足場Ｍで広い範囲の清掃作業や改修作業行うことができることから工期を短縮できて廉価な費用で外壁工事を行うことができる。また、ベランダ３が狭く形成されていても、支柱となる胴体部１１が１本で構成されているから、足場Ｍを設置することができる。
【００５９】
この際、足場Ｍの組付作業や分解作業は、ねじ締結でなくロックピン３０を挿通したり取外したりするだけで済むから、短時間に行えるとともに、ロックピン３０が磁石部３３で角パイプ部材に吸着されているから、小物部品のロックピン３０を落下させる虞もない。また、作業者は、ねじ締結によって生じるイライラ感を覚えることなくまた、ロックピン３０を落下させて事故を発生させる心配がないことから、清掃作業を安心して行うことができる。
【００６０】
なお、ロックピン３０による２部材の連結は、上述の形態だけでなく、あらゆる場所で使用することができる。特に、２部材が平行する平面を有して、その間を挿通できるように構成されているものであれば、好適に使用できるものである。例えば、胴体部１１が４本の支柱で構成されるタイプのものであってよく、足場台１６が１基の単体ユニット１０に取り付けられているタイプのものであってもよい。また、足場台１６がベランダ幅の広い箇所で構成されるタイプであり、複数の単体ユニット１０の足場台用ステー１５に架け渡されたものであって、足場台用ステー１５がトラスを構成しているタイプのものであってもよい。
【符号の説明】
【００６１】
Ｍ、工事用足場
３、ベランダ
４、ベランダ床面
５、ベランダ天井壁
６、ベランダ側壁
１０、単体ユニット
１１、胴体部
１１１、下部胴体部
１１２、上部胴体部
１２、ベース部
１３、押圧部
１５、足場台用ステー
１６、足場台
３０、ロックピン
３１、頭部
３２、軸部
３３、磁石部
３４、ワイヤ（リング部材）
【図１】
2010189970.tif 000003
【図２】
2010189970.tif 000004
【図３】
2010189970.tif 000005
【図４】
2010189970.tif 000006
【図５】
2010189970.tif 000007
【図６】
2010189970.tif 000008
【図７】
2010189970.tif 000009
【図８】
2010189970.tif 000010
【図９】
2010189970.tif 000011
【図１０】
2010189970.tif 000012